(57)【要約】      （修正有）【課題】左右に連結可能なテーブルにおいて、連結状態で左右の天板を同一面に保持する機能に優れた技術を提供する。【解決手段】脚２は、平面視四角形のブラケット８を備えており、ブラケット８の１つのコーナー部に、支柱取り付け部１０が形成されて、支柱取り付け部１０と反対側のコーナー部には、外側位置においてエンドフレーム３の端部に嵌合する突部１９を形成している。脚２は、外側位置と内側位置とで姿勢が９０度相違しており、突部１９の先端に設けた係合突起が、相手テーブルのエンドフレーム３に形成した係合穴に嵌まっている。左右のエンドフレーム３の前後端部は、連結金具３６で固定されている。左右の天板１は前後方向の内側においてブラケット８で連結されるため、同一面状に保持する機能が高い。【選択図】図６
2018075048.tif 000002
【特許請求の範囲】
【請求項１】
平面視直線の側面を有する天板と、前記天板を支持する複数の脚とを有しており、
前記各脚は、前記天板の下面に重なるブラケットと、前記ブラケットから下向きに支柱とを有しており、
前記脚は、前記天板の側面に沿って離反した外側位置と内側位置とに付け替え可能であり、前記脚を内側位置に配置すると、２枚の天板をその側面同士が重なる状態に左右に連結したとき、左右の天板同士の当接部の外側に人が腰掛けて天板を使用できるようになっている構成であって、
前記脚は、外側位置では平面視で全て天板で隠れるように配置されて、内側位置では、支柱は天板の下方に隠れてフランジの一部は天板の側面の外側に露出するように配置されており、
前記脚を内側位置に配置した２枚の天板が、その側面を互いに重ねて左右に並設した状態で、各脚のフランジにて左右の天板がボルトで連結されるようになっている、
テーブル。
【請求項２】
前記天板の下面のうち前記側面に近い部位に、前記側面と平行に延びるエンドフレームが配置されており、
前記脚を内側位置に配置した２枚の天板が、その側面を互いに重ねて左右に並設した状態で、一方の天板における脚のブラケットが他方の天板におけるエンドフレームの側面が当接するようになっており、かつ、それらブラケットとエンドフレームとに形成された嵌合部が嵌まり合っている、
請求項１に記載したテーブル。
【請求項３】
前記ブラケットの嵌合部は角形の係合突起である一方、前記エンドフレームの嵌合部は角形の係合穴であり、脚を内側位置に配置した状態で、前記係合突起と支柱とは、前記天板の側面の長手方向である前後方向にずれている、
請求項２に記載したテーブル。
【請求項４】
前記フランジは平面視四角形の基部を有していて、前記基部における１つのコーナー部に前記支柱を設けており、
前記脚は、外側位置に配置された状態では、ブラケットの基部の１つの辺が天板の側面と平行になった姿勢で前記支柱が天板のコーナー部に位置しており、そして、前記ブラケットの基部のうち前記支柱の対角方向に位置したコーナー部に設けた突部が、前記エンドフレームの端部に嵌まり込んでいる一方、
前記脚を内側位置に配置した状態では、前記脚は、外側位置の姿勢から９０度水平旋回して前記突部を外向きにした姿勢に配置されており、前記突部の先端面に前記係合突起が突設されている、
請求項３に記載したテーブル。
【請求項５】
前記エンドフレームには、天板の下面に重なる上向きの台座部がその長手方向に飛び飛びで複数個形成れており、このため、天板とエンドフレームとの間には、前記台座部の箇所を除いて隙間が空いており、
前記脚を内側位置に配置した天板連結状態では、左右天板の前後端部は、前記エンドフレームと天板との間に嵌まり込む上水平部を有する逆Ｌ形で左右長手の連結金具によって連結されるようになっている一方、
前記脚を外側位置に配置した非連結状態では、前記連結金具は、前後長手の姿勢にして上水平部をエンドフレームと天板との間の隙間が嵌め込んだ状態で、前記天板の内部側に配置されている、
請求項１〜４のうちのいずれかに記載したテーブル。
【発明の詳細な説明】
【技術分野】
【０００１】
本願発明は、棒状の支柱を有する脚で支持されたテーブルに関するものであり、その複数台を左右に連結できる構造に特徴を有している。
【背景技術】
【０００２】
平面視四角形の天板を棒状の脚で支持してなるテーブルにおいて、複数台を左右に連結することは広く行われている。そして、四角形のテーブルでは、天板の四隅に脚を配置していることが多いが、テーブルを単に左右に並べて連結しただけであると、天板同士の当接部の外側において人が椅子を使用して腰掛けた場合、当接部の脚が人の足の邪魔になって、椅子を引いた状態でテーブルを使用することができず、このため使い勝手が悪いという問題がある。
【０００３】
そこで、特許文献１には、天板の下面に、脚を外側寄りに配置した状態で固定する第１脚取付部と、脚を内側に配置した状態で固定する第２脚取付部とを設けて、連結時には脚を第２脚取付部に付け替えることにより、連結されたテーブルの当接部に椅子を設置して人が腰掛けたときには、椅子を引いた状態でテーブルを使用できるようにした構成が開示されている。
【０００４】
また、他の公知例としての特許文献２には、左右２つのテーブルを連結するにおいて、左右２つの天板に跨がった状態で脚を配置して、１つの脚を２つの天板に固定するようにした構成が開示されている。従って、特許文献２では、脚が天板同士の連結部材に兼用されている。
【先行技術文献】
【特許文献】
【０００５】
【特許文献１】特開２００４−５７３４５号公報
【特許文献２】実開昭６２−２０５２４号のマイクロフィルム
【発明の概要】
【発明が解決しようとする課題】
【０００６】
特許文献１では、脚は天板の側面に沿って位置を変更するだけであり、連結した状態で、各テーブルの脚はそれぞれの天板の下方に隠れている。従って、左右の天板の連結は連結金具のみで行っており、連結金具は天板の前部と後部とに配置している。しかし、この連結態様では、左右の天板の第２脚取付部に取り付けた脚が正確に調節されていないと、左右の天板の間に段差が生じて見た目が悪くなりやすいという問題がある。
【０００７】
また、床に張られたカーペットにテーブルを配置している場合、左右の天板の高さを揃えていても、片方の天板に重い物品を載せると、当該機器を載せたテーブルの脚が少し沈み込んで、左右の天板の間に段差が生じてしまうことも懸念される。この点については、天板の内側にも連結部材を配置して、天板を前後両端寄り部位と内部とで連結したらよいといえるが、これでは連結部材の数が増えるため部材管理の手間が増大する等の問題が生じる。
【０００８】
この点、特許文献２の構成では、脚が左右の天板に跨がって配置されているため、左右の天板は常に高さが揃えられており、片方のテーブルに重い物品を載せても天板間に段差が生じることはない。しかも、脚を連結部材に兼用するものであるため、連結部材の個数の増大も防止できる。
【０００９】
さて、各天板の側縁部は２本ずつの脚で支持されているので、左右の天板を連結して２本ずつの脚を内側にずらすと、特許文献２のように脚の支柱が左右天板の当接部の真下に位置した構成では、脚支柱が天板の当接線に沿って１列に並ぶことになる。すると、床の狭い箇所に脚支柱が集中的に載ってしまって、安定性が悪くなるおそれがある。また、ブラケットに支柱を設けた脚の場合は、特許文献１に図示されているように、支柱の軸心とブラケットの中心とがずれていることが多いが、このような形態の脚では、天板同士の合わせ面の箇所に支柱を一列に並べることが厄介になる虞れがある。
【００１０】
本願発明は、このような現状を改善すべく成されたものである。
【課題を解決するための手段】
【００１１】
本願発明のテーブルは、
平面視直線の側面を有する天板と、前記天板を支持する複数の脚とを有しており、
前記各脚は、前記天板の下面に重なるブラケットと、前記ブラケットから垂下した支柱とを有しており、
前記脚は、前記天板の側面に沿って離反した外側位置と内側位置とに付け替え可能であり、前記脚を内側位置に配置すると、２枚の天板をその側面同士が重なる状態に左右に連結したとき、左右の天板同士の当接部の外側に人が腰掛けて天板を使用できるようになっている、という基本構成である。
【００１２】
そして、請求項１の発明では、上記基本構成において、
前記脚は、外側位置では平面視で全て天板で隠れるように配置されて、内側位置では、支柱は天板の下方に隠れてブラケットの一部は天板の側面の外側に露出するように配置されており、
前記脚を内側位置に配置した２枚の天板が、その側面を互いに重ねて左右に並設した状態で、各脚のブラケットにて左右の天板がボルトで連結されるようになっている。
【００１３】
請求項２の発明は、請求項１において、
前記天板の下面のうち前記側面に近い部位に、前記側面と平行に延びるエンドフレームが配置されており、
前記脚を内側位置に配置した２枚の天板が、その側面を互いに重ねて左右に並設した状態で、一方の天板における脚のフランジが他方の天板におけるエンドフレームの側面が当接するようになっており、かつ、それらフランジとエンドフレームとに形成された嵌合部が嵌まり合っている。
【００１４】
請求項３の発明は、請求項２において、
前記ブラケットの嵌合部は角形の係合突起である一方、前記エンドフレームの嵌合部は角形の係合穴であり、脚を内側位置に配置した状態で、前記係合突起と支柱とは、前記天板の側面の長手方向である前後方向にずれている。
【００１５】
請求項４の発明は、請求項３において、
前記フランジは平面視四角形の基部を有していて、前記基部における１つのコーナー部に前記支柱を設けており、
前記脚は、外側位置に配置された状態では、ブラケットの基部の１つの辺が天板の側面と平行になった姿勢で前記支柱が天板のコーナー部に位置しており、そして、前記ブラケットの基部のうち前記支柱の対角方向に位置したコーナー部に設けた突部が、前記エンドフレームの端部に嵌まり込んでいる一方、
前記脚を内側位置に配置した状態では、前記脚は、外側位置の姿勢から９０度水平旋回して前記突部を外向きにした姿勢に配置されており、前記突部の先端面に前記係合突起が突設されている。
【００１６】
請求項５の発明は、請求項１〜４のうちのいずれかにおいて、
前記エンドフレームには、天板の下面に重なる上向きの台座部がその長手方向に飛び飛びで複数個形成れており、このため、天板とエンドフレームとの間には、前記台座部の箇所を除いて隙間が空いており、
前記脚を内側位置に配置した天板連結状態では、左右天板の前後端部は、前記エンドフレームと天板との間に嵌まり込む上水平部を有する逆Ｌ形で左右長手の連結金具によって連結されるようになっている一方、
前記脚を外側位置に配置した非連結状態では、前記連結金具は、前後長手の姿勢にして上水平部をエンドフレームと天板との間の隙間が嵌め込んだ状態で、前記天板の内部側に配置されている。
【発明の効果】
【００１７】
請求項１の発明は、左右の天板は内側位置においても高さが揃えられるが、脚を使用して連結するものであるため、連結金具の個数を増大させることなく、左右の天板を同一面状に維持できる。そして、脚の支柱はそれぞれの天板の下方に位置しており、左右の天板に跨がって配置されるのはブラケットのみであるため、ブラケットの中心と支柱の軸心とがずれたタイプの脚についても容易に適用できる。従って、汎用性に優れている。
【００１８】
また、左右の天板の下方にそれぞれ支柱が配置されているため、支柱を一列に配置する場合に比べて床の広い面積で支柱の群を支えることができる。このため、テーブルの安定性の向上にも貢献できる。
【００１９】
さて、連結可能タイプのテーブルでは、天板の下面に予め雌ねじ穴（通常は鬼目ナット）を設けておいて、ブラケットに挿通したボルトを天板の雌ねじ穴にねじ込む構成が普通であり、本願発明のようにブラケットが左右の天板に跨がっている場合は、ボルトは左右の天板にそれぞれねじ込まれる。従って、ブラケットは、ボルト挿通穴が左右天板の雌ねじ穴と一致するように正確に位置決めされている必要がある。
【００２０】
この点、請求項２の構成を採用すると、各ブラケットが（各脚）が相手テーブルのエンドフレームで位置決めされるため、組み立てを的確に行える利点がある。また、エンドフレームは天板の撓みを防止する補強部材としての役割も有するため、テーブルの全体としての剛性も向上できる。
【００２１】
ブラケットとエンドフレームとの嵌合部は様々な組み合わせが考えられるが、請求項３のように、ブラケットに係合突起を設けたエンドフレームに係合穴を設けると、簡単な構造で加工も容易になる。つまり、ブラケットはタイキャスト品や樹脂成形品が使用されているのが普通であるため、係合突起は成形によって手間なく形成される一方、エンドフレームは金属型材を使用するのが普通であり、係合穴の加工は簡単に行える。
【００２２】
連結状態において、支柱と係合突起とを前後方向の同じ位置に位置させる（左右一文字状に並べる）ことも可能であるが、ブラケットの面積は支柱の平面積よりも大きいのが普通であるため（そうでないと、ブラケットを天板に強固に固定できない）、連結状態で支柱と係合突起とが左右一直線に並んでいると、前後に隣り合った脚の間隔を詰めにくい場合がある。
【００２３】
これに対して請求項３のように、内側位置において支柱と係合突起とを前後方向にずらすと、ブラケッに十分な大きさを確保しつつ、連結状態で、前後の脚のブラケットを互いに噛み合うような状態にできるため、設計の自由性を高くできる。
【００２４】
請求項４の構成を採用すると、脚を外側位置に配置した状態では、ブラケットの突部がエンドフレームの端部に嵌入しているため、外側位置でも脚を正確に位置決めできると共に、エンドフレームとブラケットとを一体化してテーブルの剛性を向上できる。
【００２５】
本願発明では、脚を利用して左右の天板を連結できるが、脚は内側に位置しているので、左右の天板は外側寄り部位（前後両端部）についても連結金具で連結するのが好ましい。この場合に使用する連結金具は、テーブルを非連結状態で使用するとき（テーブルを単体で使用するとき）は不要であり、従って、不使用時にはどこかに格納しておくことになる。
【００２６】
この点、本願発明では、エンドフレームと天板との間の隙間を利用して連結金具を格納できるため、連結状態で即座に取り出しできるように即応性に優れたものとすることができるし、紛失の問題もない。なお、エンドフレームと天板との間の隙間は、ケーブル類の挿通空間に利用することも可能である。
【図面の簡単な説明】
【００２７】
【図１】実施形態に係るテーブルを示しており、（Ａ）は全体の斜視図、（Ｂ）分離斜視図である。
【図２】三連に連結した状態の図であり、（Ａ）は全体の斜視図、（Ｂ）は分離斜視図、（Ｃ）は分離平面図である。
【図３】（Ａ）の天板を仮想線で表示した平面図、（Ｂ）は骨組みの部分的な斜視図である。
【図４】（Ａ）は脚の分離斜視図、（Ｂ）はブラケットを下方から見た斜視図、（Ｃ）は脚とエンドフレームとの分離斜視図である。
【図５】（Ａ）は脚とエンドフレームとの分離斜視図、（Ｂ）はブラケットとエンドフレームとの連結部を下方から見た斜視図、（Ｃ）はブラケットとエンドフレームとの裏返した状態の分離斜視図である。
【図６】非連結と連結時とにおける脚の位置と姿勢とを示す平面図である。
【図７】（Ａ）は連結金具と骨組みとの分離斜視図、（Ｂ）は連結時におけるブラケットとエンドフレームとの関係示す分離斜視図、（Ｃ）はブラケットの斜視図である。
【図８】（Ａ）は連結時におけるエンドフレームと連結金具との分離斜視図、（Ｂ）は非連結状態での骨組みの部分平面図、（Ｃ）は連結状態での部分的な平面図である。
【図９】図８（Ｂ）のIX-IX 視断面図である。
【図１０】他のテーブルを示す図で、（Ａ）は全体の斜視図、（Ｂ）は骨組みの平面図である。
【発明を実施するための形態】
【００２８】
(1).テーブルの概要
次に、本願発明の実施形態を図面に基づいて説明する。本願では、方向を特定するため前後・左右の文言を使用するが、連結されたテーブルの並び方向を左右方向、これと直交した方向を前後方向と定義している。
【００２９】
図１〜９に示す長方形のテーブルの場合は、短手側面を当接させて連結するので、長手方向（間口方向）が左右方向で短手（幅方向）が前後方向になる。念のため、図１に方向を明示している。図１０のような正方形のテーブルの場合は、どのように連結するかは一定していないので、任意の平行な２辺の方向が左右方向で、これと直交した方向が前後方向になる。
【００３０】
既述のとおり、図１〜９に示すテーブルは長方形の仕様であり、平面視長方形の天板１と、これを支える４本の脚２とを有している。脚２は、天板１のコーナー部に位置した外側位置と、天板１の一側面に沿って内側に位置した内側位置との２か所に付け替え可能であり、互いに重なった箇所において脚２を内側位置に配置することにより、テーブル同士を連結できる。
【００３１】
天板１は木製であり、例えば図１（Ｂ）に示すように、天板１の下面には、短辺の近くに配置された前後長手のエンドフレーム３と、左右のエンドフレーム３の間に配置された左右長手の補強桟４とが重ねられており、エンドフレーム３が、（図３（Ｂ）参照）に示すボルト５で固定されている（エンドフレーム３と補強桟４との両方を天板１に固定してもよい。）。
【００３２】
補強桟４とエンドフレーム３とは、溶接によって固定されていてもよいし、ボルトで固定してもてもよい。ボルトで固定する場合は、例えば、エンドフレーム３に、補強桟４の内部に嵌入する角形のボス体を横向きに突設して、補強桟４に下方から挿通したボルトを補強桟４にねじ込む方式を採用することが可能であり、この場合は、補強桟４とエンドフレーム３とを強固に固定できる。
【００３３】
補強桟４とエンドフレーム３と脚２によって、テーブルの骨組みが構成されている。天板１は木製のものを使用しているが、スチール製のものを使用したり、紙製等の軽量コア部材の上下両面に金属板（スチール板）を接着した積層品を使用したりすることも可能である。
【００３４】
天板１の中心線に沿った部位の左右２か所には、平面視四角形（正方形）の配線穴６が空いている。図１０の例で示すように、天板１の前後中間部には、センターパネル７を立設することができる。センターパネル７は、配線穴６に取り付けたロッドを使用して取り付けられる。
【００３５】
(2).脚の構造
例えば図４に示すように、脚２は、天板１の下面に固定されるブラケット８と、ブラケット８に取り付けた支柱９とで構成されている。ブラケット８は、例えばアルミを材料にしたダイキャスト品であり（樹脂の成形品でもよい）、平面視正方形の基部８ａを有している。
【００３６】
そして、基部８ａの１つのコーナー部の箇所に、平面視正方形の支柱取り付け部１０を一体に設けて、支柱取り付け部１０に設けた角形の下向きボス１１に、角管状の支柱９を下方から嵌め込んでいる。支柱取り付け部１０の１つの対角線と基部８ａの１つの対角線とが重なっており、基部８ａの外周の一つの仮想コーナーが、支柱取り付け部１０の中心になっている。従って、支柱取り付け部１０は、部分的に基部８ａからはみ出た状態になっている。
【００３７】
下向きボス１１は上向きに開口した箱状の形態を成しており、内部にはボルト受け座１２（図４（Ａ）参照）を設けて、ボルト受け座１２に、上下に開口した２つのボルト挿通穴１３を形成している。他方、支柱９の内部のうちその上部には、角形のナット板１４が溶接によって固定されており、下向きボス１１の下面がナット板１４に重なっている。そして、図４（Ａ）のとおり、ボルト受け座１２に上から挿通したボルト１５をナット板１４の雌ねじ穴１４ａにねじ込むことにより、支柱９がブラケット８に固定されている。
【００３８】
図４（Ｂ）Ｃ）に明示するように、ブラケット８の基部８ａには、下向きボス１１と繋がった下向きの脊梁部１６が形成されており、これにより、ブラケット８としての強度が確保されて、支柱９を偏心して設けても大きな荷重を支え得るようになっている。脊梁部１６が下向きボス１１と繋がっているため、支柱９の上部には、脊梁部１６との干渉を回避する切欠き１７が形成されている。脊梁部１６は、上向きに開口した溝形になっており、中心線に沿って補強リブ１８が形成されている。また、ブラケット８のうち脊梁部１６を挟んだ両側はフランジの状態になっている。
【００３９】
ブラケット８における基部８ａのうち、中心を挟んで支柱取り付け部１０と反対側のコーナー部には、エンドフレーム３に外から嵌まり込む略角形の突部１９が一体に形成されている。突部１９はエンドフレーム３と同じ方向に向いているので、基部８ａの対角方向ではなくて、基部８ａを構成する１つの辺と直交した方向に向いている。
【００４０】
天板１は４本の脚２で支持されるが、前後の脚２は支柱９とブラケット８との位置関係が前後逆になっているので、脚２は、突部１９の向きが平面視で９０度相違した２種類が使用されている。また、突部１９は、例えば図４に示すように、基部８ａに繋がった第１部分１９ａと、第１部分１９ａから突出した第２部分１９ｂとの２段式になっており、第２部分１９ｂがエンドフレーム３に嵌まり込むようになっている。従って、第２部分１９ｂは第１部分よりも僅かに（エンドフレーム３の厚さ分だけ）小さくなっている。
【００４１】
第１部分１９ａと基部８ａとの間には、若干の寸法の段差が生じている。従って、エンドフレーム３と天板１との間には、若干の（数ｍｍの）の間隔が空いている。なお、図７（Ｂ）及び図８（Ａ）（Ｂ）に示すブラケット８では、第１部分１９ａと基部８ａとは同じ高さになっている。従って、図４，図５に示したものとは少し形態が相違している。いずれであってもよい。
【００４２】
図４（Ｂ）に示すように、突部１９は、上面と下面とに溝を形成して中間板部２０を有するＨ形の形態を成しており、中間板部１９ｃに、上下に貫通した通し穴２０を空けている。エンドフレーム３と突部１９とに下方からボルト２１を挿通し、このボルト２１を、天板１に設けた雌ねじ穴（鬼目ナット）にねじ込むことにより、エンドフレーム３と突部１９とが天板１に固定されている。図４（Ｃ）や図５（Ｂ）（Ｃ）に示すように、エンドフレーム３における下面部の端部には、突部１９の中間板部１９ｃに重なるランド部２２を形成している。
【００４３】
(3).ブラケットと天板との締結構造
例えば図４に示すように、ブラケット８には、ボルト挿通穴２３〜２６が空いている。すなわち、ブラケット８には、外側位置と内側位置との両方において天板１への固定に使用される第１ボルト挿通穴２３と、脚２を外側位置に配置した状態での天板１への固定に使用される第２ボルト挿通穴２４と、脚２を内側位置に配置したときに天板１への固定に使用される第３及び第４のボルト挿通穴２５，２６とが上下に開口して空けられている。各ボルト挿通穴２３〜２６の下部には、ボルトの頭が嵌まる座繰り穴を形成している。
【００４４】
第１ボルト挿通穴２３は、基部８ａの略中央部に形成されている。他方、第２ボルト挿通穴２４は、脊梁部１６の中心線上の位置で突部１９に寄った１つのコーナー部と、脊梁部１６の中心線を挟んで２つのコーナー部の箇所との合計３か所に形成されている。従って、外側位置では、脚２のブラケット８は４本のボルト２７（図４（Ａ）参照）で天板１に固定される。これに伴って、天板１の各コーナー部には、４つずつの雌ねじ穴（鬼目ナット）を設けており、これが、外側位置脚固定部となっている。
【００４５】
第３ボルト挿通穴２５と第４ボルト挿通穴２５とは、基部８ａのうち突部１９の側に位置した２つの辺の内側に設けている。第３ボルト挿通穴２５と第４ボルト挿通穴２６とは、いずれか一方が使用される。１つのブラケット８に第３ボルト挿通穴２５と第４ボルト挿通穴２６を形成していることにより、４本の脚２は２種類で足りている。
【００４６】
例えば図３（Ｂ）や図４（Ｃ）に示すように、エンドフレーム３の上面には、台錘状の上向き台座部２８が飛び飛びで複数個膨出形成されており、この台座部２８がボルト５で天板１に固定されている。従って、天板１とエンドフレーム３との間には、台座部２８の突出高さと同じ寸法の隙間が空いている。なお、エンドフレーム３の上面に板材（スペーサ）を溶接等で固定しても、エンドフレーム３と天板１との間に隙間を空けることができる。
【００４７】
図５（Ｂ）（Ｃ）に示すように、エンドフレーム３のうち各台座部２８の下方部には大きな穴３０が空いており、この穴３０に、上下に開口した樹脂製の筒体３１を装着している。従って、天板１への固定作業において、ボルト５をエンドフレーム３の内部に入り込むことがない。
【００４８】
つまり、筒体３１がないと、台座部２８をボルト５で天板１に固定するにおいて、ボルト５が誤ってエンドフレーム３の内部に倒れ込んでしまって、取り出し不能になってしまう場合があるが、筒体３１を装着すると、ボルト５がエンドフレーム３の内部に倒れ込むことを確実に防止できるのである。筒体３１は、その弾性に抗して穴３０に嵌め込むようになっており、嵌め込んだ後は、戻り変形して爪が穴３０の縁に引っ掛かり、脱落不能に
保持される。筒体３１の上端に、ボルト５の座面が重なる座金部を形成してもよい。
【００４９】
(4).テーブルの連結
図６及び図８（Ａ）（Ｃ）では、テーブルを左右に連結した状態を表示している。テーブル同士を連結するときは、天板１同士が当接する一側面１ａと他側面１ｂの箇所に位置した脚２を内側位置にずらす。脚２は、内側位置では、突部１９が相手のテーブルに向かう姿勢になる。従って、外側位置と内側位置とでは、脚２は姿勢が平面視で９０度相違する。
【００５０】
図６を基準にして、便宜的に、紙面の下側を手前、上側を後ろとして説明すると、右の天板１では、外側位置において手前に配置していた脚２は、外側位置から反時計回りに９０度水平旋回させて、内側位置のうちの後ろ側に配置され、外側位置において後ろに位置していた脚２は、外側位置の姿勢から時計回りに９０度水平旋回させて、内側位置での手前側に配置され、そして、両者とも、支柱取り付け部１０を右の天板１のエンドフレーム３の側面に近接させて、突部１９は、左の天板１におけるエンドフレーム３の側面に当接させている。
【００５１】
他方、図６おいて左に位置した天板１では、外側位置において手前に配置していた脚２は、外側位置から時計回りに９０度水平旋回させて、内側位置のうちの手前側に配置され、外側位置において後ろに位置していた脚２は、外側位置の姿勢から反時計回りに９０度水平旋回させて、内側位置での後ろ側に配置され、そして、両者とも、支柱取り付け部１０を左の天板１のエンドフレーム３の側面に近接せて、突部１９の先端は、右の天板１におけるエンドフレーム３の側面に当接させている。
【００５２】
そして、図７（Ｂ）に示すように、各脚２の突部１９の先端には、脚２の嵌合部として、中央部に角形の係合突起３２が形成されている一方、エンドフレーム３には、エンドフレーム３の嵌合部として、係合突起３２が回転不能に嵌合する係合穴３３が空いており、両者を嵌合させることにより、各ブラケット８はエンドフレーム３との位置決めが行われている。
【００５３】
ブラケット８の突部１９には、その中心部に水平姿勢の雌ねじ穴３４が空いており、エンドフレーム３に挿通した水平姿勢のボルト３５（図８（Ａ）参照）を雌ねじ穴３４にねじ込むことにより、エンドフレーム３とブラケット８とが固定されている。
【００５４】
脚２を内側位置に配置した状態では、各ブラケット８は左右の天板１にボルト５で固定されるが、支柱取り付け部１０と突部１９とが左右に並んでいるので、左右天板１の固定は、第１ボルト挿通穴２３と第３ボルト挿通穴２５とを使用して行われる。左右の天板１を１本ずつのボルト５で固定する場合、第４ボルト挿通穴２６と１つの第２ボルト挿通穴２４とを使用することも可能である。この場合は、天板１には、第４ボルト挿通穴２６と１つの第２ボルト挿通穴２４とに対応した雌ねじ穴を設けている。従って、第４ボルト挿通穴２６は予備的なものである。なお、１つのブラケット８を４本のボルト５で固定することも可能である。
【００５５】
図６から理解できるように、各脚２は、内側位置においては係合突起３２と支柱９とが前後方向にずれている（外側位置では、両者は左右方向にずれている。）。ブラケット８の基部８ａを正方形に形成しつつ、係合突起３２と支柱９とを前後方向にずらすことにより、前後に重なった一対ずつの脚２を互いに近づけることができる。このため、一対の脚２の支柱９を左右一直線状に並べて配置できる。その結果、テーブルの安定性を向上できる。
【００５６】
なお、テーブル同士の連結位置では、２本の脚２がセットになっており、前後のセットの間にある程度の間隔を空けているが、これは、天板１の支持安定性を確保するためである。いずれにしても、脚２と天板１の前後縁との間には相当の間隔か空いているので、人が連結部の箇所に椅子を配置して普通に腰掛けた場合、足が脚２の支柱９に当たることはない。従って、使い勝手がよい。
【００５７】
また、脚２の群の手前と後ろとに大きな間隔が空いているので、ワゴンを配置することも可能である。この場合、ワゴンは全体を天板１の下方に隠してもよいし、部分的に天板１の外側にはみ出してもよい。全体が隠れるか一部がはみ出るかは、ワゴンの奥行きの大きさに依存している。
【００５８】
例えば図８に明瞭に示すように、左右に並設された天板１は、その前部と後部とが連結金具３６によって連結されている。連結金具３６は、上水平部３６ａと垂直部とを有する逆Ｌ字形であり、外側からカバー３７が装着されている。カバー３７は連結金具３６にビスで固定されている。連結金具３６の上水平部３６ａをエンドフレーム３の端部と天板１との間の隙間に差し込んで、ボルト２１により、連結金具３６の端部とエンドフレーム３とが天板１に固定されている。連結金具３６の端部の固定は、外側位置においてブラケット８の突部１９の固定に使用していたボルト２１がそのまま使用されている。
【００５９】
連結金具３６は、非連結状態では使用しない。そこで、本実施形態では、連結金具３６は、不使用時には天板１の下面部のうち、エンドフレーム３の外側面に沿わせた部位に格納している。すなわち、図７（Ａ）や図８（Ｂ）に示すように、エンドフレーム３の前後中間位置において、連結金具３６の上水平部３６ａを天板１とエンドフレーム３との間の隙間に差し込むことにより、連結金具３６を天板１の短手側縁部に格納している。
【００６０】
エンドフレーム３は天板１の側面１ａ，１ｂに近い部位に配置しているので、連結金具３６が人目に触れる可能性があるが、連結金具３６にはカバー３７を設けているので、人目に触れても美観を悪化させることはない。なお、連結金具３６は、エンドフレーム３の側面にビス等で固定しておいてもよいし、カバー３７に設けた縁片３７ａをエンドフレーム３と天板１とに弾性的に突っ張らせることにより、容易に脱落しない状態に保持してもよい。連結金具３５は前後に隣り合った２つの台座２８の間に配置されている。従って、ビス止めしなくても前後方向にずれて脱落することはない。
【００６１】
以上、本願発明の実施形態を説明したが、本願発明は他にも様々に具体化できる。例えば、前後の補強桟の左右端面を外向きに開口した姿勢にして、ブラケットに形成した突部を補強桟に嵌合させてもよい。従って、この場合は、外側位置では突部は左右方向に向いている。脚は、外側位置と内側位置とで必ず姿勢を９０度水平旋回させる必要はなく、単に前後移動させて付け替えることも可能である。
【産業上の利用可能性】
【００６２】
本願発明は、実際にテーブルに具体化できる。従って、産業上利用できる。
【符号の説明】
【００６３】
１  天板
１ａ  一側面
１ｂ  他側面
２  脚
３  エンドフレーム
４  補強桟
８  ブラケット
８ａ  基部
９  支柱
１０  支柱取り付け部
１１  下向きボス
１９  突部
２３〜２６  ボルト挿通穴
２８  台座部
３２  係合突起
３３  係合穴
３６  連結金具
【図１】
2018075048.tif 000003
【図２】
2018075048.tif 000004
【図３】
2018075048.tif 000005
【図４】
2018075048.tif 000006
【図５】
2018075048.tif 000007
【図６】
2018075048.tif 000008
【図７】
2018075048.tif 000009
【図８】
2018075048.tif 000010
【図９】
2018075048.tif 000011
【図１０】
2018075048.tif 000012
【手続補正書】
【提出日】平成29年1月20日(2017.1.20)
【手続補正１】
【補正対象書類名】図面
【補正対象項目名】全図
【補正方法】変更
【補正の内容】
【図１】
2018075048.tif 000013
【図２】
2018075048.tif 000014
【図３】
2018075048.tif 000015
【図４】
2018075048.tif 000016
【図５】
2018075048.tif 000017
【図６】
2018075048.tif 000018
【図７】
2018075048.tif 000019
【図８】
2018075048.tif 000020
【図９】
2018075048.tif 000021
【図１０】
2018075048.tif 000022